(57)【要約】【課題】移動局において、基地局との通話可能圏内に存在しない場合の移動局間通信による遭難信号送信方式を提供することで、通信可能圏外からの救助要請を可能とする。【解決手段】移動局２００−Ａは、なんらかの理由で基地局１００およびその他基地局の通信圏内に移動できなくなった場合、任意に動作によりＧＰＳ受信プログラムを実行して位置情報を取得する。移動局２００−Ａは、他の移動局に向けて位置情報を含む移動局向け遭難信号を送信する。移動局２００−Ａから移動局向け遭難信号を受信した移動局２００−Ｃは、基地局１００に対し、基地局向け遭難信号を送信する。移動局２００−Ｃからの基地局向け遭難信号受信した基地局１００は、避難信号を行政機関に通報する。【選択図】図６
2012138653.tif 000002
【特許請求の範囲】
【請求項１】
第１の移動局との通信を行なう通信制御部と、前記第１の移動局が転送した第２の移動局からの遭難信号を監視する遭難信号監視部と、前記遭難信号を転送する遭難信号転送部と、から成り、
通信圏外に位置する前記第２の移動局からの前記遭難信号を検出したとき、登録された行政機関へ前記遭難信号を転送することを特徴とする基地局。
【請求項２】
基地局および他の移動局と通信を行なう通信制御部と、現在の電波状況を監視する電波状況監視部と、第１の移動局より送信された遭難信号を監視する遭難信号監視部と、ＧＰＳ情報を取得するＧＰＳ制御部と、から成り、
第１の移動局からの前記遭難信号を前記基地局または第２の移動局に転送することを特徴とする移動局。
【請求項３】
請求項２に記載の移動局であって、
前記電波状態監視部が通信圏内と判断したとき、前記遭難信号を前記基地局に転送し、
前記電波状態監視部が通信圏外と判断したとき、前記遭難信号を前記第２の移動局に転送することを特徴とする移動局。
【請求項４】
請求項２に記載の移動局であって、
通信圏外において前記第１の移動局から受信した遭難信号を、通信圏内に移動した際に基地局に転送することを特徴とする移動局。
【発明の詳細な説明】
【技術分野】
【０００１】
本発明は、基地局および移動局に係り、特に移動局間の通信により、基地局の通信圏外の移動局が発信した遭難信号を基地局に至らせる基地局および移動局に関する。
【背景技術】
【０００２】
従来の無線通信システムにおいて、通信圏外におけるデータの送信および受信は不可能とされてきた。そのため、通信圏外時に災害等にあうと携帯端末からは救助要請を行なうことができないでいるのが現状である。
【０００３】
以下の特許文献１では、携帯電話端末に緊急信号発信機能を具備することにより、基地局の通信圏内では、緊急時における早急な救助要請を行なうことができる技術が開示されている。
【先行技術文献】
【特許文献】
【０００４】
【特許文献１】特開２００１−０９５０４５号公報
【発明の概要】
【発明が解決しようとする課題】
【０００５】
移動局は、基地局を介して公衆回線網へ接続することのできる無線端末である。そのため、移動局は、基地局との通信圏内に存在しない場合は、公衆回線網へアクセスすることができず、緊急時などでも救助を要請することができない。
【０００６】
そこで、本発明では、移動局において、基地局との通話可能圏内に存在しない場合の移動局間通信による遭難信号送信方式を提供することで、通信圏外からの救助要請を可能とする。
【課題を解決するための手段】
【０００７】
上述した課題は、第１の移動局との通信を行なう通信制御部と、第１の移動局が転送した第２の移動局からの遭難信号を監視する遭難信号監視部と、遭難信号を転送する遭難信号転送部と、から成り、通信圏外に位置する第２の移動局からの遭難信号を検出したとき、登録された行政機関へ遭難信号を転送する基地局により、達成できる。
【０００８】
また、基地局および他の移動局と通信を行なう通信制御部と、現在の電波状況を監視する電波状況監視部と、第１の移動局より送信された遭難信号を監視する遭難信号監視部と、ＧＰＳ情報を取得するＧＰＳ制御部と、から成り、第１の移動局からの遭難信号を基地局または第２の移動局に転送する移動局により、達成できる。
【発明の効果】
【０００９】
本発明によれば、移動局は、基地局の通信圏外である場合にも、警察や消防署などへ救助要請を行なうことができる。
【図面の簡単な説明】
【００１０】
【図１】無線通信システムの構成を説明するブロック図である。
【図２】基地局の機能ブロック図である。
【図３Ａ】基地局に格納されている遭難信号受信テーブルを説明する図である。
【図３Ｂ】基地局に格納されている遭難信号保持テーブルを説明する図である。
【図３Ｃ】基地局に格納されている遭難信号転送先テーブルを説明する図である。
【図３Ｄ】基地局に格納されているプログラムを説明する図である。
【図４】移動局の機能ブロック図である。
【図５Ａ】移動局に格納されている遭難信号受信テーブルを説明するである。
【図５Ｂ】移動局に格納されている遭難信号送信テーブルを説明するである。
【図５Ｃ】移動局に格納されている遭難信号保持テーブルを説明するである。
【図５Ｄ】移動局に格納されているプログラムを説明する図である。
【図６】無線通信システムの動作を説明するシーケンス図である。
【図７】移動局の遭難信号送信プログラムを説明するフローチャートである。
【図８】移動局のＧＰＳ受信プログラムを説明するフローチャートである。
【図９】移動局の遭難信号受信プログラムを説明するフローチャートである。
【図１０】移動局の遭難信号再送プログラムを説明するフローチャートである。
【図１１】基地局のテーブル更新プログラムを説明するフローチャートである。
【図１２】基地局の遭難信号転送プログラムを説明するフローチャートである。
【図１３】移動局の遭難信号保持テーブル消去プログラムを説明するフローチャートである。
【図１４】基地局の遭難信号保持テーブル消去プログラムを説明するフローチャートである。
【発明を実施するための形態】
【００１１】
以下、本発明の実施の形態について、実施例を用い図面を参照しながら詳細に説明する。なお、実質同一部位には同じ参照番号を振り、説明は繰り返さない。
【００１２】
図１を参照して、無線通信システムの構成を説明する。図１において、無線通信システム３００は、基地局１００と、移動局２００と、ＩＰ網１とで構成されている。基地局１００は、ＩＰ網と有線接続されている。
【００１３】
基地局１００は、周囲に通信圏２を構成している。通信圏２の内側の移動局２００−Ｃは、基地局１００と通信が可能である。しかし、通信圏２の外側の移動局２００−Ａ、２００−Ｂは、基地局１００と直接の通信ができない。
【００１４】
無線通信システム３００は、移動局２００から基地局１００への上り通信と、基地局１００から移動局２００への下り通信とで、同じ周波数を用いる。この結果、移動局２００間での通信も可能である。
【００１５】
移動局２００は、ＧＰＳ衛星３からの電波を受信する。移動局２００は、４基のＧＰＳ衛星３の電波を受信して内部時計２６０をＧＰＳ時刻に校正する。この結果、移動局２００は、３基のＧＰＳ衛星３の電波を受信して、自身のｘｙｚ座標（地球上の位置）を知ることができる。
【００１６】
この結果、移動局２００−Ａと移動局２００−Ｂが通信圏２の外側でも、移動局２００−Ａが取得したｘｙｚ座標を、移動局２００−Ｂと、通信圏２の内側の移動局２００−Ｃとを介して、基地局１００に報知可能である。
【００１７】
なお、上りと下りで同じ周波数を使用する通信システムとして、ＴＤ−ＬＴＥ（Time Division Duplex Long Term Evolution）がある。しかし、通信システム３００は、ＴＤ−ＬＴＥに限られない。
【００１８】
図２を参照して、基地局１００の構成を説明する。図２において、基地局１００は、ＣＰＵ１１０と、ＲＡＭ１２０と、フラッシュＲＯＭ１３０と、内部時計１４０と、無線インタフェース（Ｉ／Ｆ）１５０と、ネットワークＩ／Ｆ１６０と、変換部１７０とから構成されている。ＣＰＵ１１０は、通信制御部１１１と、遭難信号監視部１１２と、遭難信号転送部１１３とを構成する。ＲＡＭ１２０は、遭難信号受信テーブル（ＴＬ)を記憶している。フラッシュＲＯＭ１３０は、遭難信号保持テーブル１３１と、遭難信号転送先テーブル１３２と、プログラム１３３とを記憶している。
【００１９】
ＣＰＵ１１０は、各種演算処理を実行する。ＲＡＭ１２０は、ＣＰＵ１１０のワークエリアとなる。フラッシュＲＯＭ１３０は、各種データやプログラムが格納されている補助記憶装置である。内部時計１４０は、各種データを消去するために必要な時間を検出する。アンテナ１５１は、移動局２００との間で無線通信する。無線インタフェース１５０は、アンテナ１５１が接続されている。ネットワークインタフェース１６０は、ＩＰ網１を介して他の基地局や装置と通信する。変換部１７０は、無線インタフェース１５０とネットワークインタフェース１６０との間の信号変換処理を行なう。
【００２０】
通信制御部１１１は、他の装置との通信制御を行なう。遭難信号監視部１１２は、移動局２００からの遭難信号を検出し、ＲＡＭ１２０に遭難信号の情報を格納する。遭難信号転送部１１３は、あらかじめ登録されている行政機関へ遭難信号を転送する。なお、通信制御部１１１と、遭難信号監視部１１２と、遭難信号転送部１１３とは、いずれも、ＣＰＵ１１０がフラッシュＲＯＭ１３０に格納されている各種プログラム１３３を実行することで機能する。
【００２１】
図３を参照して、遭難信号受信テーブル１２１、遭難信号保持テーブル１３１、遭難信号転送先テーブル１３２、プログラム１３３を説明する。
図３Ａにおいて、基地局装置１００に送信された遭難信号の情報が格納される遭難信号受信テーブル１２１は、送信元移動局１２１ａ、ＧＰＳ位置情報１２１ｂ、ショートメッセージ１２１ｃ、遭難信号発信日１２１ｄ、遭難信号発信時刻１２１ｅ、転送元移動局ＩＤ１２１ｆ、有効期限１２１ｇから構成されている。
【００２２】
送信元移動局ＩＤ領域１２１ａは、遭難信号送信元の移動局２００の識別子を格納する。ＧＰＳ位置情報領域１２１ｂは、この移動局２００のＧＰＳ位置情報を格納する。ショートメッセージ領域１２１ｃは、この移動局２００が遭難信号を送信した際に入力されたショートメッセージを保持する。遭難信号発信日領域１２１ｄは、この移動局２００が遭難信号を送信した年月日を格納する。遭難信号発信時刻領域１２１ｅは、この移動局２００が遭難信号を送信した時刻を格納する。転送元移動局ＩＤ領域１２１ｆは、この移動局２００から送信された遭難信号を自装置１００へ転送してきた移動局２００の識別子を格納する。有効期限領域１２１ｇは、本情報の削除可能時期を示す。
【００２３】
図３Ｂにおいて、遭難信号受信テーブル１２１に格納された遭難信号の情報を保持するための遭難信号保持テーブル１３１は、送信元移動局１３１ａ、ＧＰＳ位置情報１３１ｂ、ショートメッセージ１３１ｃ、遭難信号発信日１３１ｄ、遭難信号発信時刻１３１ｅ、転送元移動局ＩＤ１３１ｆ、有効期限１３１ｇ、転送フラグ１３１ｈから構成されている。
【００２４】
送信元移動局１３１ａ、ＧＰＳ位置情報１３１ｂ、ショートメッセージ１３１ｃ、遭難信号発信日１３１ｄ、遭難信号発信時刻１３１ｅ、転送元移動局ＩＤ１３１ｆ、有効期限１３１ｇは、送信元移動局１２１ａ、ＧＰＳ位置情報１２１ｂ、ショートメッセージ１２１ｃ、遭難信号発信日１２１ｄ、遭難信号発信時刻１２１ｅ、転送元移動局ＩＤ１２１ｆ、有効期限１２１ｇと同一である。転送フラグ１３１ｈは、遭難信号を転送いたことを示すフラグである。
【００２５】
図３Ｃにおいて、遭難信号の転送先の情報が格納されている遭難信号転送先テーブル１３２は、転送先名称１３２ａ、転送先通信アドレス１３２ｂから構成される。転送先名称領域１３２ａは、受信した遭難信号の転送先名称を示す。転送先通信アドレス領域１３２ｂは、転送先の通信アドレスが格納されている。
【００２６】
図３Ｄにおいて、プログラム１３３は、遭難信号転送プログラム（Ｐ）１３３ａ、遭難信号保持テーブル消去プログラム１３３ｂ、テーブル更新プログラム１３３ｃからなっている。
【００２７】
図４を参照して、移動局２００の構成を説明する。図４において、移動局２００は、ＣＰＵ２１０と、ＲＡＭ２２０と、フラッシュいＲＯＭ２３０と、無線Ｉ／Ｆ２４０と、ＧＰＳ受信制御部２５０と、内部時計２６０と、外部入力装置２７０とから構成される。ＣＰＵ２１０は、通信制御部２１１と、電波状況監視部２１２と、遭難信号監視部２１３と、ＧＰＳ制御部２１４とからなる。ＲＡＭ２２０は、電波状況２２１と、ＧＰＳ位置情報２２２と、遭難信号受信テーブル２２３と、遭難信号送信テーブル２２４とを記憶する。フラッシュＲＯＭ２３０は、プログラム２３１と、移動局ＩＤ２３２と、消去時刻２３３と、遭難信号保持テーブル２３４とを記憶する。
【００２８】
ＣＰＵ２１０は、各演算処理を実行する。ＲＡＭ２２０は、ＣＰＵ２１０のワークエリアとなる。フラッシュＲＯＭ２３０は、各種データやプログラムが格納されている。アンテナ２４１は、フェムトセル基地局１００および他の移動局２００との間で電波を送受信する。無線インタフェース２４０は、アンテナ２４１を接続する。アンテナ２５１は、ＧＰＳ衛星３からの信号を受信する。ＧＰＳ通信制御部２５０は、アンテナ２５１を接続する。内部時計２６０は、ＧＰＳ衛星３による時刻同期を行なえない場合に時刻を利用する。外部入力装置２７０は、ユーザが移動局に対して情報入力を行なうことを可能とする。
【００２９】
通信制御部２１１は、基地局１００および他の移動局との通信制御を行ない遭難信号保持テーブル２３４の情報を無線インタフェース２４０および無線通信アンテナ２４１を通して送信を行なう。電波状況監視部２１２は、基地局１００と通信可能圏内かを監視し、通信可能圏内かをＲＡＭ２２０の電波状況２２１へ格納する。遭難信号監視部２１３は、他の移動局２００が送信した遭難信号を監視し、送信された信号に有効期限情報として内部時計２５０に消去時刻２３３を加えた値を付与して遭難信号受信テーブル２２３へ格納する。ＧＰＳ制御部２１４は、ＧＰＳ衛星３からの信号をＧＰＳ通信制御部２５０およびＧＰＳアンテナ２５１を通して受信した信号と内部時計２５０の情報を解析し、ＧＰＳ位置情報２２２へ無線携帯端末の位置情報および時刻を格納する。
【００３０】
なお、通信制御部２１１、電波状況監視部２１２、遭難信号監視部２１３、ＧＰＳ制御部２１４は、いずれも、ＣＰＵ２１０がフラッシュＲＯＭ２３０に格納されている各種プログラム２３１を実行することで機能する。
【００３１】
電波状況２２１は、アンテナ２４１が受信した電波より電波状況監視部２１２が行なう通信圏内かの判定結果を格納する。ＧＰＳ位置情報２２２は、ＧＰＳアンテナ２５１が受信したＧＰＳ衛星３の信号をＧＰＳ通信制御部２１４が解析した結果を格納する。遭難信号受信テーブル２２３は、アンテナ２４１が受信した電波より遭難信号監視部２１３が取得した他の移動局２００が送信した遭難信号を格納する。遭難信号送信テーブル２２４は、移動局２００が送信する遭難信号を格納する。
【００３２】
プログラム２３１は、ＣＰＵ１１０の通信制御部２１１、電波状況監視部２１２、遭難信号監視部２１３、ＧＰＳ制御部２１４を実現するためのプログラムである。移動局ＩＤ２３２は、事前に与えられた自身のＩＤが設定されている。消去時刻２３３は、事前に与えられた消去時刻を記憶する。遭難信号保持テーブル２３４は、ＲＡＭ２３０の遭難信号受信テーブル２２３の情報を保持する。
【００３３】
図５を参照して、遭難信号受信テーブル２２３、遭難信号送信テーブル２２４、遭難信号保持テーブル２３４、プログラム２３１を説明する。
図５Ａにおいて、遭難信号受信テーブル２２３は、遭難信号監視部２１３が格納する。遭難信号受信テーブル２２３は、送信元移動局２２３ａ、ＧＰＳ位置情報２２３ｂ、ショートメッセージ２２３ｃ、遭難信号発信日２２３ｄ、遭難信号発信時刻２２３ｅ、転送元移動局ＩＤ２２３ｆ、有効期限２２３ｇから構成される。
【００３４】
図５Ｂにおいて、遭難信号送信テーブル２２４は、移動局が送信する遭難信号の情報を一時保管する領域である。遭難信号送信テーブル２２４は、送信元移動局ＩＤ２２４ａと、ＧＰＳ位置情報２２３ｂと、ショートメッセージ２２３ｃと、遭難信号発信日２２３ｄと、遭難信号発信時刻２２３ｅと、転送元移動局ＩＤ２２４ｆとから、構成される。
【００３５】
図５Ｃにおいて、遭難信号保持テーブル２３４は、送信元移動局ＩＤ２３４ａ、ＧＰＳ位置情報２３４ｂ、ショートメッセージ２３４ｃ、遭難信号発信日２３４ｄ、遭難信号発信時刻２３４ｅ、転送元移動局ＩＤ２３４ｆ、有効期限２３４ｇ、基地局転送フラグ２３４ｈから構成される。
【００３６】
図５Ｄにおいて、フラッシュＲＯＭ２３０のプログラム領域２３１は、遭難信号送信プログラム２３１ａ、ＧＰＳ受信プログラム２３１ｂ、遭難信号受信プログラム２３１ｃ、遭難信号再送プログラム２３１ｄ、遭難信号保持テーブル削除プログラム２３１ｅを記憶する。
【００３７】
図６を参照して、無線通信システム３００の動作について説明する。なお、ここでは、移動局２００−Ａ、Ｂ，Ｃおよび基地局１００が既に稼動している状態で、移動局２００−Ａが基地局１００およびその他の基地局の通信圏外に存在する場合について説明する。
【００３８】
移動局２００−Ａは、基地局１００およびその他基地局の通信圏外に存在する場合、ユーザの操作により、移動局２００−ＡのフラッシュＲＯＭ２３０のプログラム２３１内に格納されている遭難信号送信プログラム２３１ａを実行する（Ｓ６０１）。移動局２００−Ａの遭難信号送信プログラム２３１ａは、処理実行中にＧＰＳ受信プログラム２３１ｂを、起動する（Ｓ６０２）。遭難信号送信プログラム２３１ａは、周囲に存在するであろう不特定多数の移動局に対し、通信制御部２１１より、無線インタフェース２４０および無線通信アンテナ２４１を介し移動局向け遭難信号を送信する（Ｓ６０３）。なお、移動局向け遭難信号には、ＧＰＳ受信プログラムが取得したＧＰＳ位置情報を含んでいる。
【００３９】
移動局２００−Ａから移動局向け遭難信号を受信した移動局２００−Ｂは、フラッシュＲＯＭ２３０のプログラム２３１内に格納されている遭難信号受信プログラム２３１ｃを実行する（Ｓ６０４）。遭難信号受信プログラム２３１ｃは、移動局２００−Ａに対し移動局向け遭難信号受信通知を送信する（Ｓ６０５）。移動局２００−Ｂは、基地局１００およびその他基地局の通信圏内か判定する（Ｓ６０６）。ここでは通信圏外なので、移動局２００−Ｂは、移動局向け遭難信号を周囲に存在するであろう不特定多数の移動局に対し、通信制御部２１１より、無線インタフェース２４０および無線通信アンテナ２４１を介し移動局向け遭難信号を送信する（Ｓ６０７）。
【００４０】
移動局２００−Ｂから移動局向け遭難信号を受信した移動局２００−Ｃは、遭難信号受信プログラム２３１ｃを実行する（Ｓ６０８）。移動局２００−Ｃは、基地局１００の通信圏内か判定する（Ｓ６０９）。ここでは、通信圏内であり、移動局２００−Ｃは、基地局１００に対し、通信制御部２１１より、無線インタフェース２４０および無線通信アンテナ２４１を介し基地局向け遭難信号を送信する（Ｓ６１０）。
【００４１】
移動局２００−Ｃからの基地局向け遭難信号を基地局１００のＣＰＵ１１０内の遭難信号監視部１１２にて検出した基地局１００は、フラッシュＲＯＭ１３０内に格納されているプログラム１３３内のテーブル更新プログラム１３３ｃを実行する（Ｓ６１１）。
【００４２】
基地局１００のテーブル更新プログラム１３３ｃは、処理実行中に遭難信号保持テーブル１３１の更新を行なうと、フラッシュＲＯＭ１３０内のプログラム１３３内の遭難信号転送プログラム１３３ａを実行する（Ｓ６１２）。
【００４３】
移動局２００−Ｂは、移動ののち、移動局２００−Ｂは、基地局１００の通信圏内か判定する（Ｓ６１３）。ここでは通信圏内であり、移動局２００−Ｂは、フラッシュＲＯＭ２３０のプログラム２３１内に格納されている遭難信号再送プログラム２３１ｄを実行する（Ｓ６１４）。移動局２００−Ｂは、基地局向け遭難信号を送信する（Ｓ６１５）。基地局向け遭難信号を受信した基地局１００は、テーブル更新プログラム１３３ｃを実行する（Ｓ６１６）。テーブル更新プログラム１３３ｃは、遭難信号転送プログラム１３３ａを実行する（Ｓ６１７）。
【００４４】
移動局２００−Ｂは、遭難信号を移動局２００−Ｃまたは基地局１００に転送後、あらかじめ決められた有効期限まで遭難信号の情報を遭難信号保持テーブル２３４に保持する。移動局２００−Ｂは、有効期限経過後（Ｓ６１８）、フラッシュＲＯＭ２３０のプログラム２３１内に格納されている遭難信号保持テーブル消去プログラム２３１ｅを実行する（Ｓ６１９）。
【００４５】
移動局２００−Ｃは、遭難信号を基地局１００に転送後、あらかじめ決められた有効期限まで遭難信号の情報を遭難信号保持テーブル２３４に保持する。有効期限経過後（Ｓ６２０）、移動局２００−Ｂは、フラッシュＲＯＭ２３０のプログラム２３１内に格納されている遭難信号保持テーブル消去プログラム２３１ｅを実行する（Ｓ６２１）。
【００４６】
基地局１００は、遭難信号を移動局２００−ＢおよびＣから受信後、あらかじめ決められた有効期限まで遭難信号の情報を遭難信号保持テーブル１３１に保持する。有効期限経過後（Ｓ６２２）、基地局１００は、フラッシュＲＯＭ１３０のプログラム１３３内に格納されている遭難信号保持テーブル消去プログラム１３３ｂを実行する（Ｓ６２３）。
【００４７】
以上の処理を実施することで、基地局１００の通信圏外から移動局２００の遭難信号を基地局１００まで届けることができ、そこから行政機関に転送することができる。
【００４８】
図７を参照して、移動局２００における通信制御部２１１の遭難信号送信プログラム２３１ａの処理ついて説明する。図７において、移動局２００の通信制御部２１１は、ユーザによる遭難信号送信処理の開始命令を受けると、遭難信号送信プログラム２３１ａを起動する。遭難信号送信プログラム２３１ａは、起動後、遭難信号監視部２１２により周期的に更新されているＲＡＭ２２０内部の電波状況２２１を参照し、自身の移動局２００が基地局１００との通信可能圏内・通信可能圏外いずれであるかを確認する（Ｓ７０１）。通信可能圏内であれば、遭難信号送信プログラム２３１ａは、遭難信号送信処理を行なわずプログラムを終了する。
【００４９】
ステップ７０１で通信可能圏外であれば、遭難信号送信プログラム２３１ａは、ＧＰＳ受信プログラム２３１ｂを起動し、位置情報の取得を行なう（Ｓ７０２）。遭難信号送信プログラム２３１ａは、ＧＰＳ受信プログラム２３１ｂにより取得した情報に自身の移動局２００の移動局ＩＤ２３２を加えた情報を遭難信号送信テーブル２２４の２２４ａおよび２２４ｆへ格納する（Ｓ７０３）。遭難信号送信プログラム２３１ａは、遭難信号送信テーブル２２４の格納情報を遭難信号として周囲の移動局２００に向けて無線インタフェース２００より発信し（Ｓ７０４）、処理を終了する。
【００５０】
図８を参照して、移動局２００におけるＧＰＳ制御部２１４のＧＰＳ受信プログラム２３１ｂの処理ついて説明する。図８において、移動局２００のＧＰＳ受信プログラム２３１ｂは、図７を参照して説明した遭難信号送信プログラム２３１ａにより呼び出されるプログラムである。ＧＰＳ受信プログラム２３１ｂが起動された場合、ＧＰＳ制御部２１４は、ＧＰＳアンテナ２５１、ＧＰＳ受信制御部２５０を通してＧＰＳ衛星３の捕捉を行なう（Ｓ８０１）。３基以上のＧＰＳ衛星３が捕捉できた場合、ＧＰＳ受信プログラム２３１ｂは、ＧＰＳ衛星３からの信号を解読し、位置情報および時刻情報の計算を行ない、遭難信号送信テーブル２２４の２２４ｂ、２２４ｄ、２２４ｅへ格納し（Ｓ８０３）、プログラムを終了する。
【００５１】
ステップ８０２で３基以上のＧＰＳ衛星３が補足できなかった場合、ＧＰＳ受信プログラム２３１ｂは、ユーザに外部入力装置２７０を利用したショートメッセージの入力を要求する（Ｓ８０４）。ＧＰＳ受信プログラム２３１ｂは、ユーザが入力したショートメッセージの内容を遭難信号送信テーブル２２４の２２４ｃへ格納する（Ｓ８０５）。ＧＰＳ受信プログラム２３１ｂは、内部時計の日時を２２４ｄ、２２４ｅへ格納し（Ｓ７０６）、プログラムを終了する。
【００５２】
図９を参照して、移動局２００における遭難信号監視部２１３の遭難信号受信プログラム２３１ｃの処理ついて説明する。移動局２００の遭難信号監視部２１３は、通信制御部２１１を介して他の移動局２００からの遭難信号を感知することで遭難信号受信プログラム２３１ｃを呼び出す。
【００５３】
図９において、遭難信号受信プログラム２３１ｃは、受信した遭難信号を遭難信号受信テーブル２２３へ書き込む（Ｓ９０１）。遭難信号受信プログラム２３１ｃは、受信した遭難信号受信テーブル２２３の内容と同じ送信元移動局ＩＤ、遭難信号発信日、遭難信号発信時刻の遭難信号がＲＯＭ２３０内の遭難信号保持テーブル２３４に登録されているか比較する（Ｓ９０２）。遭難信号受信プログラム２３１ｃは、遭難信号保持テーブル２３４に登録済みか判定する（Ｓ９０３）。既に登録済みの情報である場合（ＹＥＳ）、遭難信号受信プログラム２３１ｃは、遭難信号受信テーブル２２３の情報を削除して（Ｓ９０４）、処理を終了する。
【００５４】
ステップ９０３登録がない情報である場合（ＮＯ）、遭難信号受信プログラム２３１ｃは、遭難信号受信テーブル２２３の情報を遭難信号保持テーブル２３４に書き込む（Ｓ９０５）。なお、基地局転送フラグ２３４ｈは、初期値として「未転送」を格納する。遭難信号受信プログラム２３１ｃは、書き込んだ情報の送信元移動局ＩＤ２３４ａと転送元移動局ＩＤ２３４ｆの情報を比較する（Ｓ９０６）。遭難信号受信プログラム２３１ｃは、一致しているか判定する（Ｓ９０７）。一致していれば（ＹＥＳ）、遭難信号受信プログラム２３１ｃは、通信制御部２２１より無線インタフェース２４０および無線通信アンテナ２４１を通して遭難信号受信した旨の信号を送信元の移動局２００へ返信する（Ｓ９０８）。ステップ９０７で不一致である場合、遭難信号受信プログラム２３１ｃは、ステップ９０８をスキップして次の処理へ進む。
【００５５】
遭難信号受信プログラム２３１ｃは、電波状況２２１を参照し、自身の移動局２００が基地局１００との通信可能圏内かを判定する（Ｓ９０９）。通信可能圏内である場合（ＹＥＳ）、遭難信号受信プログラム２３１ｃは、通信制御部２２１より無線インタフェース２４０および無線通信アンテナ２４１を通して基地局１００向けに遭難信号受信テーブル２２３の情報を送信し、遭難信号保持テーブル２３４に登録した遭難信号保持テーブル２３４の基地局転送フラグ２３４ｈを「転送済み」に変更して（Ｓ９１０）、ステップ９０４に遷移する。
【００５６】
ステップ９０９通信可能圏外である場合（ＮＯ）、遭難信号受信プログラム２３１ｃは、遭難信号受信テーブル２２３の転送元移動局ＩＤ２２３ｆの内容を自局の移動局ＩＤ２３２で書き換える（Ｓ９１１）。遭難信号受信プログラム２３１ｃは、通信制御部２２１より無線インタフェース２４０および無線通信アンテナ２４１を通して基地局１００向けに遭難信号受信テーブル２２３の情報を送信して（Ｓ９１２）、ステップ９０４に遷移する。
【００５７】
図１０を参照して、電波状況監視部２１２による遭難信号再送プログラム２３１ｄについて説明する。遭難信号再送プログラム２３１ｄは、電波状況監視部２１２によりＲＡＭの電波状況２２１が通信可能圏外から通信可能圏外へ書き換わったときに呼び出されるプログラムである。
【００５８】
図１０において、遭難信号再送プログラム２３１ｄは、遭難信号保持テーブル２３４を呼び出す（Ｓ１００１）。遭難信号再送プログラム２３１ｄは、基地局転送フラグ２３４ｈが「未転送」となっている情報があるか判定する（Ｓ１００２）。「未転送」となっている情報がある場合（ＹＥＳ）、遭難信号再送プログラム２３１ｄは、通信制御部２２１より無線インタフェース２４０および無線通信アンテナ２４１を通して基地局１００向けに遭難信号保持テーブル２３４の情報を送信する（Ｓ１００３）。遭難信号再送プログラム２３１ｄは、送信したテーブルの基地局転送フラグ２３４ｈを「転送済み」に書き換える（Ｓ１００４）。遭難信号再送プログラム２３１ｄは、全て転送済みか判定する（Ｓ１００５)。ＹＥＳのとき、遭難信号再送プログラム２３１ｄは、終了する。
【００５９】
ステップ１００５でＮＯのとき、遭難信号再送プログラム２３１ｄは、ステップ１００３に遷移する。ステップ１００２でＮＯのとき、遭難信号再送プログラム２３１ｄは、終了する。
【００６０】
図１１を参照して、テーブル更新プログラム１３３ｃによる遭難信号受信テーブル１２１の更新および、遭難信号保持テーブル１３１の更新処理について説明する。テーブル更新プログラム１３３ｃは、移動局２００からの基地局向け遭難信号を検出した遭難信号監視部１１２より呼び出されるプログラムである。
【００６１】
図１１において、テーブル更新プログラム１３３ｃが遭難信号監視部１１２より呼び出され実行されると、テーブル更新プログラム１３３ｃは、ＲＡＭ１２０内に保持されている遭難信号受信テーブル１２１を呼び出す（Ｓ１１０１）。テーブル更新プログラム１３３ｃは、次に遭難信号監視部１１２が検出した遭難信号の情報と、遭難信号受信テーブルに保持している情報の比較を行なう（Ｓ１１０２）。その際、送信元移動局ＩＤ１２１ａと、遭難信号発信日１２１ｄおよび遭難信号発信時刻１２１ｅの３項目にて比較を行なう。ステップ１１０２で差異がない場合（ＹＥＳ）、テーブル更新プログラム１３３ｃは、遭難信号受信テーブル１２１の更新は行なわず処理を終了する。
【００６２】
ステップ１１０２で差異がある場合（ＮＯ）、テーブル更新プログラム１３３ｃは、遭難信号受信テーブル１２１に検出した遭難信号の情報を追加する（Ｓ１１０３）。テーブル更新プログラム１３３ｃは、フラッシュＲＯＭ１３０内に保持されている遭難信号保持テーブル１３１を呼び出す（Ｓ１１０４）。テーブル更新プログラム１３３ｃは、遭難信号受信テーブル１２１と遭難信号保持テーブル１３１の比較を行なう（Ｓ１１０５）。ここで、比較は、移動局ＩＤ１２１ａと、遭難信号発信日１２１ｄおよび遭難信号発信時刻１２１ｅ、移動局ＩＤ１３１ａ、遭難信号発信日１３１ｄおよび遭難信号発信時刻１３１ｅで行なう。ステップ１１０５差異がない場合（ＹＥＳ）、テーブル更新プログラム１３３ｃは、遭難信号保持テーブル１３１の更新は行なわず処理を終了する。
【００６３】
ステップ１１０５差異がある場合（ＮＯ）、テーブル更新プログラム１３３ｃは、遭難信号保持テーブル１３１に検出した遭難信号の情報を追加する（Ｓ１１０６）。テーブル更新プログラム１３３ｃは、遭難信号添付プログラム１３３ａを呼び出し実行し（Ｓ１１０７）、実行が完了後、処理を終了する。
【００６４】
図１２を参照して、遭難信号転送プログラム１３３ａによる遭難信号の行政機関への転送処理について説明する。遭難信号転送プログラム１３３ａは、テーブル更新プログラム１３３ｃの処理実行中に実行されるプログラムである。
【００６５】
図１２において、遭難信号転送プログラム１３３ａは、まずフラッシュＲＯＭ１３０から遭難信号保持テーブル１３１を呼び出す（Ｓ１２０１）。遭難信号転送プログラム１３３ａは、呼び出した遭難信号保持テーブル１３１内の転送フラグ１３１ｈを読み取り、転送フラグ１３１ｈが「未転送」のレコードがあるか判定する（Ｓ１２０２)。転送フラグ１３１ｈが全て「転送済み」となっている場合（ＮＯ）、遭難信号転送プログラム１３３ａは、処理を終了する。
【００６６】
ステップ１２０２で遭難信号保持テーブル１３１内の転送フラグ１３１ｈのいずれかが「未転送」となっている場合（ＹＥＳ）、遭難信号転送プログラム１３３ａは、フラッシュＲＯＭ１３０内に保持している遭難信号転送先テーブル１３２を呼び出す（Ｓ１２０３）。遭難信号転送プログラム１３３ａは、遭難信号転送部１１３から遭難信号保持テーブル１３１内の転送フラグ１３１ｈが「未転送」となっているデータについて、遭難信号転送先テーブル１３２へ保持されている転送先へデータを転送するよう指示を行なう（Ｓ１２０４）。遭難信号転送プログラム１３３ａは、遭難信号保持テーブル１３１内の転送したデータに対し転送フラグ１３１ｈを「転送済み」に変更し（Ｓ１２０５）、処理を終了する。
【００６７】
図１３を参照して、移動局２００の遭難信号監視部２１３による遭難信号保持テーブル削除プログラム２３１ｅについて説明する。遭難信号保持テーブル削除プログラム２３１ｅは、遭難信号監視部２１３により周期的に呼び出されるプログラムである。
【００６８】
遭難信号保持テーブル削除プログラム２３１ｅは、遭難信号保持テーブル２３４を呼び出す（Ｓ１３０１）。遭難信号保持テーブル削除プログラム２３１ｅは、有効期限２３４ｇが内部時計２６０以上となっている情報がないか確認する（Ｓ１３０２）。遭難信号保持テーブル削除プログラム２３１ｅは、対象となる情報の登録があるか確認する（Ｓ１３０３)。有効期限２３４ｇが内部時計２６０以上となっている情報がある場合（ＹＥＳ）、遭難信号保持テーブル削除プログラム２３１ｅは、該当するテーブル情報を全て削除する（Ｓ１３０４）。ステップ１３０３で有効期限２３４ｇが内部時計２６０以上となっている情報が無い場合（ＮＯ）、遭難信号保持テーブル削除プログラム２３１ｅは、処理を終了する。
【００６９】
図１４を参照して１００の遭難信号監視部１１２による遭難信号保持テーブル削除プログラム１３３ｂについて説明する。遭難信号保持テーブル削除プログラム１３３ｂは、遭難信号監視部１１２により周期的に呼び出されるプログラムである。
【００７０】
遭難信号保持テーブル削除プログラム１３３ｂは、遭難信号保持テーブル１３１を呼び出す（Ｓ１４０１）。遭難信号保持テーブル削除プログラム１３３ｂは、有効期限１３１ｇが内部時計１４０以上となっている情報がないか確認する（Ｓ１４０２）。遭難信号保持テーブル削除プログラム１３３ｂは、対象となる情報の登録があるか判定する（Ｓ１４０３)。有効期限１３１ｇが内部時計１４０以上となっている情報がある場合（ＹＥＳ）、遭難信号保持テーブル削除プログラム１３３ｂは、該当するテーブル情報を全て削除する（Ｓ１４０４）。ステップ１４０３で有効期限１３１ｇが内部時計１４０以上となっている情報が無い場合（ＮＯ）、遭難信号保持テーブル削除プログラム１３３ｂは、処理を終了する。
【００７１】
本実施例によれば、移動局は基地局と通信圏外である場合、緊急事態により救助を必要とする場合に、他の移動局に遭難信号を中継してもらうことにより、警察や消防署などへ救助要請を行なうことができる。また、移動局が他の移動局から遭難信号を受信した場合、基地局と通信圏内であれば、基地局へ遭難信号を転送するが、通信圏外であった場合、さらに周りの基地局へと遭難信号を転送できる。さらに、受信した遭難信号は移動局内に保持し、移動局が通信可能圏内に移動した場合に改めて遭難信号を転送することで、遭難信号発信者の救助の可能性を高めることができる。
【符号の説明】
【００７２】
１…ＩＰ網、２…通信圏、３…ＧＰＳ衛星、１００…基地局、１１０…ＣＰＵ、１１１…通信制御部、１１２…遭難信号監視部、１１３…遭難信号転送部、１２０…ＲＡＭ、１２１…遭難信号受信テーブル、１３０…フラッシュＲＯＭ、１３１…遭難信号保持テーブル、１３２…遭難信号転送先テーブル、１３３…プログラム、１４０…内部時計、１５０…無線インタフェース、１５１…ＡＮＴＳ部、１６０…ネットワークインタフェース、１７０…変換部、２００…移動局、２１０…ＣＰＵ、２１１…通信制御部、２１２…電波状態監視部、２１３…遭難信号監視部、２１４…ＧＰＳ制御部、２２０…ＲＡＭ、２２１…電波状況、２２２…ＧＰＳ位置情報、２２３…遭難信号受信テーブル、２２４…遭難信号送信テーブル、２３０…フラッシュＲＯＭ、２３１…プログラム、２３２…移動局ＩＤ、２３３…消去時刻、２３４…遭難信号保持テーブル、２４０…無線インタフェース、２４１…アンテナ、２５０…ＧＰＳ受信制御部、２５１…ＧＰＳアンテナ、２６０…内部時計、２７０…外部入力装置、３００…無線通信システム。
【図１】
2012138653.tif 000003
【図２】
2012138653.tif 000004
【図３Ａ】
2012138653.tif 000005
【図３Ｂ】
2012138653.tif 000006
【図３Ｃ】
2012138653.tif 000007
【図３Ｄ】
2012138653.tif 000008
【図４】
2012138653.tif 000009
【図５Ａ】
2012138653.tif 000010
【図５Ｂ】
2012138653.tif 000011
【図５Ｃ】
2012138653.tif 000012
【図５Ｄ】
2012138653.tif 000013
【図６】
2012138653.tif 000014
【図７】
2012138653.tif 000015
【図８】
2012138653.tif 000016
【図９】
2012138653.tif 000017
【図１０】
2012138653.tif 000018
【図１１】
2012138653.tif 000019
【図１２】
2012138653.tif 000020
【図１３】
2012138653.tif 000021
【図１４】
2012138653.tif 000022